(57)【要約】【課題】ベッドに配設されるサイドレールの見栄えを良好にするとともに、破損し難くする。【解決手段】介護用ベッド１０は、ボトムと、ボトムの側部に配設されるサイドレール２とを備えている。サイドレール２は、ボトムの頭側から脚側へ延びる板状に形成された板状体５３を有している。板状体５３には、ボトムの内外方向に貫通する開口部Ａ１〜Ａ４が形成されている。板状体５３には、開口部Ａ１〜Ａ４を覆う透光板６１〜６４が取り付けられている。【選択図】図１
0003153703.tif 000002
【実用新案登録請求の範囲】
【請求項１】
ボトムと、該ボトムの側部に配設されるサイドレールとを備え、利用者の頭側のボトムを昇降自在に構成した介護用ベッドにおいて、
上記サイドレールは、上記ボトムの頭側から脚側へ延びる板状に形成されるとともに該ボトムの内外方向に貫通する開口部を有する板状体と、該開口部を覆うように該板状体に取り付けられる透光性を有する透光板とを備えていることを特徴とする介護用ベッド。
【請求項２】
請求項１に記載の介護用ベッドにおいて、
板状体は、該板状体のボトム内外方向内側を構成するインナパネルと、外側を構成するアウタパネルとを組み合わせてなり、
透光板は、上記インナパネル及びアウタパネルの一方に締結部材により固定されていることを特徴とする介護用ベッド。
【請求項３】
請求項２に記載の介護用ベッドにおいて、
インナパネルの開口部周縁には、透光板に対しボトム内外方向内側から当接するインナ側当接部が設けられ、
アウタパネルの開口部周縁には、上記透光板に対しボトム内外方向外側から当接するアウタ側当接部が設けられ、
上記透光板は、上記インナ側当接部及びアウタ側当接部により挟持されていることを特徴とする介護用ベッド。
【請求項４】
請求項１から３のいずれか１つに記載の介護用ベッドにおいて、
板状体には複数の開口部が形成され、
透光板は、開口部毎に別体とされていることを特徴とする介護用ベッド。
【請求項５】
介護用ベッドのボトムの側部に配設されるサイドレールにおいて、
上記ボトムの頭側から脚側へ延びる板状に形成されるとともに該ボトムの内外方向に貫通する開口部を有する板状体と、該開口部を覆うように板状体に取り付けられる透光性を有する透光板とを備えていることを特徴とするサイドレール。
【考案の詳細な説明】
【技術分野】
【０００１】
本考案は、一般家庭や病院等で使用する介護用ベッド及び該ベッドに取り付けられるサイドレールに関するものである。
【背景技術】
【０００２】
従来から、この種のベッドとして、例えば、特許文献１に開示されているように、ボトムに寝ている利用者が床に落ちないようにするためにサイドレールを備えたものが知られている。サイドレールは、パイプ部材を組み合わせて構成されており、透明なビニール製のカバーにより覆われている。このカバーは袋状に形成されるとともに、その開口部を閉じるためのファスナーやホック等を有している。
【０００３】
サイドレールを透明なカバーにより覆うことで次の２つの利点がある。１つは、利用者の手や脚がサイドレールを構成するパイプ部材の間に入り込むのを防止できる点である。これにより、利用者の頭側のボトムを上げて背上げ姿勢とする際に、手や脚がパイプ部材と頭側ボトム上のマットレスとで挟まれるようになるのを回避することが可能になる。もう１つの利点は、カバーが透明であることで利用者に閉塞感を与えずに済む点である。
【先行技術文献】
【特許文献】
【０００４】
【特許文献１】特開平１０−３３５９８号公報
【考案の概要】
【考案が解決しようとする課題】
【０００５】
しかしながら、上記カバーは袋状でサイドレールに被せる使用するようになっているので、サイドレールよりも大きめに作っておく必要がある。このため、サイドレールを覆った状態でカバーがだぶついて該カバーの側面が波打つような形状となり易く、見栄えが悪い。
【０００６】
また、袋状であることから、カバーに物品が当たったりしただけで破れてしまう虞れもある。
【０００７】
本考案は、かかる点に鑑みてなされたものであり、その目的とするところは、ベッドに配設されるサイドレールの見栄えを良好にするとともに、破損が起こり難くすることにある。
【課題を解決するための手段】
【０００８】
第１の考案は、ボトムと、該ボトムの側部に配設されるサイドレールとを備え、利用者の頭側のボトムを昇降自在に構成した介護用ベッドにおいて、上記サイドレールは、上記ボトムの頭側から脚側へ延びる板状に形成されるとともに該ボトムの内外方向に貫通する開口部を有する板状体と、該開口部を覆うように該板状体に取り付けられる透光性を有する透光板とを備えていることを特徴とするものである。
【０００９】
尚、本考案のサイドレールとは、手すりとして利用できる形状のものも含むものである。
【００１０】
第２の考案は、第１の考案において、板状体は、該板状体のボトム内外方向内側を構成するインナパネルと、外側を構成するアウタパネルとを組み合わせてなり、透光板は、上記インナパネル及びアウタパネルの一方に締結部材により固定されていることを特徴とするものである。
【００１１】
第３の考案は、第２の考案において、インナパネルの開口部周縁には、透光板に対しボトム内外方向内側から当接するインナ側当接部が設けられ、アウタパネルの開口部周縁には、上記透光板に対しボトム内外方向外側から当接するアウタ側当接部が設けられ、上記透光板は、上記インナ側当接部及びアウタ側当接部により挟持されていることを特徴とするものである。
【００１２】
第４の考案は、第１から３のいずれか１つの考案において、板状体には複数の開口部が形成され、透光板は、開口部毎に別体とされていることを特徴とするものである。
【００１３】
第５の考案は、介護用ベッドのボトムの側部に配設されるサイドレールにおいて、上記ボトムの頭側から脚側へ延びる板状に形成されるとともに該ボトムの内外方向に貫通する開口部を有する板状体と、該開口部を覆うように板状体に取り付けられる透光性を有する透光板とを備えていることを特徴とするものである。
【考案の効果】
【００１４】
第１の考案によれば、サイドレールに開口部を設け、この開口部を透光板で覆うようにしたので、利用者の手や脚が開口部に入ってしまうのを防止できる。これにより、頭側のボトムを昇降させる際の安全性を向上できる。また、開口部を透光板で覆っているので利用者が閉塞感を感じるのも防止できる。さらに、透光板としたことで、従来例のカバーのように波打つような形状とならずに見栄えを良好にできるとともに、強度を確保して物品等が当たった際に破損し難くすることができる。
【００１５】
第２の考案によれば、透光板に傷が付いたり、汚れたりして透光板を交換する際に、インナパネルとアウタパネルとを分離させて、締結部材による締結状態を解除するだけで透光板を外すことができる。そして、新たな透光板を締結部材により固定することができるので、透光板を容易に交換できる。
【００１６】
第３の考案によれば、インナパネルのインナ側当接部とアウタパネルのアウタ側当接部とで透光板を挟持できるので、透光板を板状体にしっかりと固定することができる。
【００１７】
第４の考案によれば、透光板を開口部毎に別体としたことで、例えば、ある開口部を覆う透光板のみが汚れたりした場合に、その透光板のみを交換することができ、メンテナンス時のコストを低減できる。
【００１８】
第５の考案によれば、第１の考案と同様に、サイドレールの見栄えを良好にでき、破損し難くすることができる。
【図面の簡単な説明】
【００１９】
【図１】実施形態にかかる介護用ベッドの斜視図である。
【図２】マットレス及びサイドレールを省略した介護用ベッドの斜視図である。
【図３】本体フレームの平面図である。
【図４】本体フレームの側面図である。
【図５】背上げ状態の図４相当図である。
【図６】背上げ状態の図２相当図である。
【図７】右用頭側サイドレールをボトム内外方向内側から見た側面図である。
【図８】図７のVIII−VIII線断面図である。
【図９】図７のIX−IX線断面図である。
【考案を実施するための形態】
【００２０】
以下、本考案の実施形態を図面に基づいて詳細に説明する。尚、以下の好ましい実施形態の説明は、本質的に例示に過ぎず、本考案、その適用物或いはその用途を制限することを意図するものではない。
【００２１】
図１は、本考案の実施形態に係る介護用ベッド１０の構成を示す斜視図である。この介護用ベッド１０は、本体フレーム２０と、本体フレーム２０に載置されたボトム４０（図２に示す）と、本体フレーム２０の頭側に配設されたヘッドボード１１と、脚側に配設されたフットボード１２と、本体フレーム２０の下部に配設されたベッド支持脚１５，１５とを備えている。
【００２２】
尚、「頭側」とは、利用者が寝たときに頭が来る側であり、「脚側」とは、利用者が寝たときに脚が来る側である。
【００２３】
図３に示すように、上記本体フレーム２０は、複数本の角パイプ材を組み立てて構成したものであり、ベッド長手方向に延びる左右一対の頭側フレーム２１，２１と、頭側フレーム２１，２１の脚側の端部に接続されてベッド長手方向に延びる左右一対の脚側フレーム２２，２２とを備えている。
【００２４】
上記頭側フレーム２１，２１は、頭側フレーム２１，２１同士を連結する連結フレーム２１ａ，２１ａを有している。頭側フレーム２１，２１の頭側の端面にはフランジ部２１ｂ，２１ｂが設けられ、このフランジ部２１ｂ，２１ｂに上記ヘッドボード１１が取り付けられている。
【００２５】
また、脚側フレーム２２，２２の脚側の端面にはフランジ部２２ａ，２２ａが設けられ、このフランジ部２２ａ，２２ａにフットボード１２が取り付けられている。
【００２６】
上記本体フレーム２０の上記頭側フレーム２１側には、脚側がベッド幅方向に延びる回動軸２５ａを介してその軸２５ａ周りに回動可能に取り付けられて後述する利用者の背上げを行うための背上げフレーム２５が設けられている。
【００２７】
一方、上記本体フレーム２０の上記脚側フレーム２２側には、頭側がベッド幅方向に延びる回動軸２６ａを介してその軸２６ａ周りに回動可能に取り付けられて、頭側ボトム４１の背上げ動作時に連動して脚の付け根側の大腿部のみを支え上げる大腿部支え上げフレーム２６が設けられている。
【００２８】
ここで、背上げフレーム２５を駆動するための機構及び大腿部支え上げフレーム駆動機構について説明する。この背上げフレーム駆動機構は、図４にも示すように、背上げフレーム２５の回動軸２５ａ側の中央部に設けられた背上げ駆動ブラケット６１と、この背上げ駆動ブラケット６１に駆動源としてのモータ６２からの駆動力を伝達する機構としてベッド長手方向に進退駆動されるリニアアクチュエータ６３とを備えている。
【００２９】
上記モータ６２は、図示しないリモコンによる操作で駆動制御されるようになっている。背上げ駆動ブラケット６１には、背上げフレーム２５の回動軸２５ａ近傍の下面に当接して、モータ６２によりリニアアクチュエータ６３を介して駆動される背上げ駆動ブラケット６１の駆動力を背上げフレーム２５に伝達する駆動フレーム（図示せず）が一体に固定されている。
【００３０】
一方、上記大腿部支え上げフレーム駆動機構は、一端側が背上げ駆動ブラケット６１にピン結合等により回動自在に取り付けられ、他端側が大腿部支え上げフレーム２６の下面側中央部に設けられたローラ６４に当接する大腿部支え上げフレーム駆動ロッド６５と、下端側が本体フレーム２０側から下方に突設された突出片６６にピン結合等により回動自在に取り付けられ、上端側が大腿部支え上げフレーム駆動ロッド６５の略中央部にピン結合等により回動自在に取り付けられたロッド支持プレート６７とを備えている。
【００３１】
背上げ動作時には、利用者本人やその介護者がリモコンを操作して、モータ６２をリニアアクチュエータ６３が縮む方向に作動させると、リニアアクチュエータ６３の先端が連結された背上げ駆動ブラケット６１が図４の反時計回りの回動してその下端が下方に動き、背上げフレーム２５が上がる。この動きに連動して、大腿部支え上げフレーム駆動ロッド６５が引っ張られて、その略中央部に上端側が回動自在に取り付けられたロッド支持プレート６７が下端側の固定回動軸を中心に時計回りの回動してその上端が上方に動き、図５に示す頭側ボトム４１の背上げ姿勢となる。この頭側ボトム４１の背上げ姿勢から逆に背下げを行うときは逆の動作を行えばよい。
【００３２】
図３にも示すように、上記脚側フレーム２２，２２上には、ベッド幅方向に延びる３本の補強フレーム２７ａ，２７ｂ，２７ｃがベッド長手方向に間隔をあけて配設されている。
【００３３】
図２に示すように、上記背上げフレーム２５や大腿部支え上げフレーム２６及びその他の本体フレーム２０上には、背上げフレーム２５や大腿部支え上げフレーム２６の動作に支障をきたさないように例えば樹脂製のボトム４０が載置され、その上にベッドマットレスＭ（図１にのみ示す）が載置される。
【００３４】
上記ボトム４０は、複数のパネルで構成されている。具体的に、背上げフレーム２５上には、１枚のパネルで構成されている頭側ボトム４１が載置固定されている。また、脚側フレーム２２，２２上には３枚のパネルで構成されている脚ボトム４２が載置固定されている。さらに、大腿部支え上げフレーム２６上には、中間ボトム４３が載置固定されている。
【００３５】
このように、背上げフレーム２５上に頭側ボトム４１が載置固定されることにより、介護用ベッド１０は、頭側ボトム４１を、略水平な水平姿勢（図２参照）と、該頭側ボトム４１の頭側が脚ボトム４２よりも上方となるように該脚ボトム４２に対して傾斜させた背上げ姿勢（図６参照）とに切換可能となっている。
【００３６】
図３に示すように、本体フレーム２０の頭側フレーム２１，２１の左右両側には、左用及び右用頭側サイドレール１，２（図１参照）を取り付けるための頭側取付部２８，２８が設けられている。頭側取付部２８は、ベッド長手方向に延びる板状に形成されている。頭側取付部２８には、その上端面に開口して下方へ延びる２つの孔部２８ａ，２８ａが長手方向に間隔をあけて形成されている。これら孔部２８ａ，２８ａには、後述する頭側サイドレール１，２の挿入部５４ｅ，５４ｅが挿入されるようになっている。
【００３７】
本体フレーム２０の脚側フレーム２２，２２の左右両側には、左用及び右用脚側サイドレール３，４（図１参照）を取り付けるための脚側取付部２９，２９が設けられている。脚側取付部２９もベッド長手方向に延びる板状に形成され、２つの孔部２９ａ，２９ａを有している。孔部２９ａ，２９ａには、後述する脚側サイドレール３，４の挿入部（図示せず）が挿入されるようになっている。
【００３８】
図１に示すように、上記右用頭側サイドレール２は、頭側取付部２８にベッド長手方向に延びるように着脱自在に取り付けられ、利用者が介護用ベッド１０の頭側から転落するのを抑制するようになっている。
【００３９】
上記右用頭側サイドレール２は、頭側ボトム４１のベッド長手方向における長さよりも長く形成されている。右用頭側サイドレール２は、頭側取付部２８に固定される固定部５０と、可動部５１と、可動部５１を固定部５０に対し回動自在に取り付けるヒンジ部５２とを備えている。
【００４０】
固定部５０は、図７に示すように、ベッド長手方向に延びる略矩形に形成される板状体５３と、板状体５３の内部に配設されるフレーム５４とを備えている。フレーム５４は、下方に開放するコ字状に形成されたコ字状パイプ材５４ａと、コ字状パイプ材５４ａの両側部を連結するようにベッド長手方向に略水平に延びる上部水平パイプ材５４ｂと、上部水平パイプ材５４ｂの中間部から下方へ延びる鉛直パイプ材５４ｃと、コ字状パイプ材５４ａの後側部と鉛直パイプ材５４ｃとを連結するようにベッド長手方向に略水平に延びる下部水平パイプ材５４ｄとを備えている。下部水平パイプ材５４ｄには、頭側取付部２８の孔部２８ａ，２８ａにそれぞれ挿入される挿入部５４ｅ，５４ｅが下方へ突出するように設けられている。挿入部５４ｅ，５４ｅが頭側取付部２８の孔部２８ａ，２８ａに挿入された状態で右用頭側サイドレール２が本体フレーム２０に取り付けられるようになっている。
【００４１】
板状体５３は、フレーム５４の前端よりも前方へ延びており、図１に示すように、板状体５３の前端部は、ヘッドボード１１近傍に位置している。板状体５３には、ボトム４０の内外方向（左右方向）に貫通する第１〜第４開口部Ａ１〜Ａ４が形成されている。第１開口部Ａ１は、フレーム５４の前端よりも前方に位置しており、略正方形状である。第１開口部Ａ１は、利用者の枕が置かれる部分の側方に開口している。
【００４２】
第２〜第４開口部Ａ２〜Ａ４は、フレーム５４を構成するパイプ材５４ａ〜５４ｄの隙間に対応するように位置及び形状が設定されている。第２開口部Ａ２は、上部水平パイプ材５４ｂの下方で鉛直パイプ材５４ｃの前方に位置し、上部水平パイプ材５４ｂの延びる方向に長い略矩形状である。第３開口部Ａ３は、上部水平パイプ材５４ｂの下方で鉛直パイプ材５４ｃの後方に位置し、上部水平パイプ材５４ｂの延びる方向に長い略矩形状である。第４開口部Ａ４は、上部水平パイプ材５４ｂの上方に位置し、上部水平パイプ材５４ｂの延びる方向に長い略矩形状である。
【００４３】
第１〜第４開口部Ａ１〜Ａ４は、第１〜第４透光板６１〜６４により覆われている。第１〜第４透光板６１〜６４は、透明な硬質樹脂材を成形してなるものである。この樹脂材としては例えばアクリル樹脂やポリカーボネート等が挙げられるが、これらに限られるものではなく、各種樹脂材を用いることが可能である。また、第１〜第４透光板６１〜６４は、無色透明でもよいし、例えば乳白色やスモーク色等に着色されていてもよく、透光性を有していればよい。また、第１〜第４透光板６１〜６４を構成する樹脂材は、塩化ビニール等よりも硬い樹脂材が好ましい。第１〜第４透光板６１〜６４は、右用頭側サイドレール２を構成する部材である。
【００４４】
第１〜第４透光板６１〜６４は、第１〜第４開口部Ａ１〜Ａ４よりも大きい形状とされている。第１〜第４透光板６１〜６４の周縁部近傍には、それぞれ、取付用のネジ５９（図８参照）が挿通する複数の取付孔６１ａが貫通形成されている。  尚、ネジ５９は本考案の締結部材に相当するものであるが、ネジ５９の代わりにボルトやナット等を用いることが可能である。
【００４５】
図９にも示すように、板状体５３は、該板状体５３の内側（ボトム４０の内外方向内側）を構成するインナパネル５５と、外側（ボトム４０の内外方向外側）を構成するアウタパネル５６とを組み合わせてなり、これらは複数のボルト５７，５７，…により締結されている。尚、ボルト５７の代わりにネジ等の締結部材を用いることも可能である。
【００４６】
インナパネル５５及びアウタパネル５６は、共に樹脂製であり、第１〜第４開口部Ａ１〜Ａ４を構成するための開口部が形成されている。インナパネル５５には、ボルト５７が螺合する複数のパネル締結用ボス５５ａ，５５ａ，…が、インナパネル５５とアウタパネル５６との締結部位に対応して形成されるとともに、第１〜第４透光板６１〜６４を締結するためのネジ５９が螺合する複数の透光板締結用ボス５５ｂ，５５ｂ，…も形成されている。
【００４７】
インナパネル５５の外周縁は、アウタパネル５６側へ突出するように湾曲形成されている。インナパネル５５の外周縁の突出方向先端部には、内面側にアウタパネル５６が嵌る段差部５５ｄがインナパネル５５の全周に亘って形成されている。
【００４８】
インナパネル５５の第１開口部Ａ１の周縁に対応する部分には、第１透光板６１に対し内側（ボトム４０の内外方向内側）から当接するインナ側当接部５５ｃが形成されている。インナ側当接部５５ｃは、アウタパネル５６側へ向けて突出し、第１開口部Ａ１の全周に亘って環状に延びるように形成されている。インナ側当接部５５ｃの先端部が第１透光板６１の周縁近傍に全周に亘って当接するようになっている。インナパネル５５の第２開口部Ａ２、第３開口部Ａ３及び第４開口部Ａ４の周縁に対応する部分にも、それぞれ第２透光板６２、第３透光板６３及び第４透光板６４に当接するインナ側当接部（図示せず）が形成されている。
【００４９】
アウタパネル５６には、インナパネル５５のパネル締結用ボス５５ａに対応する部分に、ボルト５７が挿通する挿通孔５６ａが形成されている。
【００５０】
アウタパネル５６の第１開口部Ａ１の周縁に対応する部分には、第１透光板６１に対し外側（ボトム４０の内外方向外側）から当接するアウタ側当接部５６ｃが形成されている。アウタ側当接部５６ｃは、インナパネル５５側へ向けて突出し、第１開口部Ａ１の全周に亘って環状に延びるように形成されており、その先端部はインナ側当接部５５ｃの先端部と対向するように位置している。このアウタ側当接部５６ｃの先端部が第１透光板６１の周縁近傍に全周に亘って当接するようになっている。また、アウタパネル５６の第２開口部Ａ２、第３開口部Ａ３及び第４開口部Ａ４の周縁に対応する部分にも、それぞれ第２透光板６２、第３透光板６３及び第４透光板６４に当接するアウタ側当接部（図示せず）が形成されている。従って、第１〜第４透光板６１〜６４は、インナパネル５５に締結された状態で、インナ側当接部５５ｃとアウタ側当接部５６ｃとで厚み方向に挟持されることになる。
【００５１】
アウタパネル５６の外周縁は、インナパネル５５側へ突出するように湾曲形成されている。アウタパネル５６の外周縁の突出方向先端部には、インナパネル５５の段差部５５ｄに嵌る突条部５６ｄがアウタパネル５６の全周に亘って形成されている。
【００５２】
図７に示すように、可動部５１は、固定部５０と同様に、略矩形の板状体５７と、フレーム５８とを備えている。フレーム５８は、下方に開放するコ字状に形成されたコ字状パイプ材５８ａと、コ字状パイプ材５８ａの両側部を連結するようにベッド長手方向に略水平に延びる水平パイプ材５８ｂとを備えている。
【００５３】
板状体５７には、第５開口部Ａ５及び第６開口部Ａ６が形成されている。第５開口部Ａ５は、水平パイプ材５８ｂの上方に位置し、水平パイプ材５８ｂの延びる方向に長い略矩形状である。第６開口部Ａ６は、水平パイプ材５８ｂの下方に位置し、第５開口部Ａ５と同様な略矩形状である。第５及び第６開口部Ａ５，Ａ６は、開放されている。
【００５４】
板状体５７は、固定部５０の板状体５３と同様にインナパネル６５とアウタパネル（図示せず）とを組み合わせてなり、これらは複数のボルト５７，５７，…により締結されている。
【００５５】
ヒンジ部５２は、一対の取付プレート５２ａ，５２ｂと、一方の取付プレート５２ａを他方にヒンジプレート５２ｂに対し回動させる回動軸５２ｃとを備えている。回動軸５２ｃは上下方向に延びている。一方の取付プレート５２ａは、固定部５０のフレーム５４に固定されており、また、他方の取付プレート５２ｂは、可動部５１のフレーム５７に固定されている。従って、可動部５１をヒンジ部５２の回動軸５２ｃ周りに回動させることができるようになっている。
【００５６】
さらに、このヒンジ部５２には、ロックレバー５２ｄが設けられている。このロックレバー５２ｄを操作することで、図示しない周知のロック機構を操作できるようになっており、可動部５１を回動可能な状態と、固定状態とに切り替えることができる。可動部５１をボトム４０の外側へ回動させることで、利用者の出入りが可能になる。
【００５７】
図１に示すように、右用脚側サイドレール４は、右用頭側サイドレール２よりも短くなっている。右用脚側サイドレール４には、ボトム４０の内外方向に貫通する開口部４ａが形成されている。開口部４ａは開放されている。また、右用脚側サイドレール４には、脚側取付部２９の孔部２９ａ，２９ａに挿入される挿入部（図示せず）が下方へ突出するように設けられており、右用脚側サイドレール４は右用頭側サイドレール２と同様にして脚側取付部２９に取り付けられている。
【００５８】
左用頭側サイドレール１には、ボトム４０の内外方向に貫通する２つの開口部１ａ，１ａが形成されている。開口部１ａ，１ａは、透光板７０，７１により覆われている。透光板７０，７１は、右用頭側サイドレール２の透光板６１〜６４と同様に構成され、同様に取り付けられている。
【００５９】
また、左用頭側サイドレール１には、頭側取付部２８の孔部２８ａ，２８ａに挿入される挿入部（図示せず）が下方へ突出するように設けられており、左用頭側サイドレール１は右用頭側サイドレール２と同様にして頭側取付部２８に取り付けられている。左用脚側サイドレール３は、左用頭側サイドレール１と同じ構造であり、開口部３ａ，３ａを有し、脚側取付部２９に取り付けられている。開口部４ａ，４ａは開放されている。
【００６０】
（効果）
本実施形態に係る介護用ベッド１０によれば、右用頭側サイドレール２に第１〜第４開口部Ａ１〜Ａ４を設けたので、利用者に閉塞感を与えずに済む。そして、第１〜第４開口部Ａ１〜Ａ４を第１〜第４透光板６１〜６４により覆うようにしたので、利用者の手が第１〜第４開口部Ａ１〜Ａ４に入ってしまうのを防止できる。さらに、第１〜第４開口部Ａ１〜Ａ４を第１〜第４透光板６１〜６４で覆うようにしたことで、従来例のカバーのように波打つような形状とならずに見栄えを良好にできるとともに、強度を確保して物品等が当たった際に破損し難くすることができる。
【００６１】
また、第１〜第４透光板６１〜６４に傷が付いたり、汚れたりして第１〜第４透光板６１〜６４を交換する際に、右用頭側サイドレール２のインナパネル５５とアウタパネル５６とを分離させて、ネジ５９による締結状態を解除するだけで第１〜第４透光板６１〜６３を外すことができる。そして、新たな第１〜第４透光板６１〜６４をネジ５９により固定することができるので、第１〜第４透光板６１〜６４を容易に交換できる。
【００６２】
また、右用頭側サイドレール２のインナパネル５５のインナ側当接部５５ｃと、アウタパネル５６のアウタ側当接部５６ｃとで第１〜第４透光板６１〜６４を厚み方向に挟持できるので、第１〜第４透光板６１〜６４をしっかりと固定することができる。
【００６３】
また、第１〜第４開口部Ａ１〜Ａ４を、別体の第１〜第４透光板６１〜６４で覆うようにしたので、例えば、第１開口部Ａ１を覆う第１透光板６１のみが汚れたりした場合に、その第１透光板６１のみを交換することができ、メンテナンス時のコストを低減できる。
【００６４】
＜その他の実施形態＞
上記実施形態では、右用頭側サイドレール２の第１〜第４開口部Ａ１〜Ａ４のみを透光板６１〜６４で覆うようにしているが、これに限らず、第５開口部Ａ５及び第６開口部Ａ６のいずれか一方、または両方を同様な透光板で覆うようにしてもよい。また、第１〜第４開口部Ａ１〜Ａ４の全てを透光板で覆うことなく、任意の１つまたは２つの開口部のみを透光板で覆うようにしてもよい。
【００６５】
また、右用脚側サイドレール４の開口部４ａを透光板で覆うようにしてもよい。また、左用頭側サイドレール１の開口部１ａ，１ａの一方のみを透光板で覆うようにしてもよいし、両方を開放させてもよい。また、左用脚側サイドレール３の開口部３ａ，３ａの両方または一方を透光板で覆うようにしてもよい。
【００６６】
また、右用頭側サイドレール２を介護用ベッド１０の左側に設けてもよい。また、右用頭側サイドレール２の構造を脚側サイドレール３，４に適用することもできる。
【００６７】
また、上記実施形態では、介護用ベッド１０として、ベッド長手方向に伸縮しないタイプのものを用いたが、これに限らず、例えば、ベッド長手方向に伸縮可能な構造としてもよい。
【００６８】
また、サイドレール１〜４は、手すりとして利用することもできる。また、サイドレール１〜４の形状は、上記した形状に限られるものではなく、手すりとして利用する場合には、手すりとしてふさわしい形状にするのが好ましい。
【００６９】
本考案は、実施形態に限定されず、その精神又は主要な特徴から逸脱することなく他の色々な形で実施することができる。
【００７０】
上述の実施形態はあらゆる点で単なる例示に過ぎず、限定的に解釈してはならない。
【産業上の利用可能性】
【００７１】
以上説明したように、本考案にかかる介護用ベッド及びサイドレールは、背挙げ姿勢をとることのできる構造を設ける場合に適している。
【符号の説明】
【００７２】
１          左用頭側サイドレール
２          右用頭側サイドレール
３          左用脚側サイドレール
４          右用脚側サイドレール
１０        介護用ベッド
４０        ボトム
４１        頭側ボトム
５３        板状体
５５        インナパネル
５５ｃ      インナ側当接部
５６        アウタパネル
５６ｃ      アウタ側当接部
５９        ネジ（締結部材）
６１〜６４  第１〜第４透光板
Ａ１〜Ａ４  第１〜第４開口部
【図１】
0003153703.tif 000003
【図２】
0003153703.tif 000004
【図３】
0003153703.tif 000005
【図４】
0003153703.tif 000006
【図５】
0003153703.tif 000007
【図６】
0003153703.tif 000008
【図７】
0003153703.tif 000009
【図８】
0003153703.tif 000010
【図９】
0003153703.tif 000011